(57)【要約】      （修正有）【課題】スムーズな懸垂運動を可能とする身体鍛錬具を提供する。【解決手段】身体鍛錬具は、水平方向の骨組みとして、同寸の棒状角型パイプで形成され、所定間隔で並べられた左右一対の土台１と、垂直方向の骨組みとして、夫々同寸の棒状角型パイプで形成され、各土台後半部１５から起立する左右一対の支柱下２と、各支柱下２の上端開口に挿入離脱自在に結合され、その延長線上に配置される同寸、同形状の棒状角型パイプで形成される左右一対の支柱上３を有する。各支柱上３は折曲部３１を有し、器具前方、つまり、折曲部３１より先端３２に向かう延長部３３を有する。当該各支柱上３は、その基端が、支柱下２の上端より僅かに小さいパイプ横断面を有し、該支柱下２のパイプ内に挿入され、所定深さで固定されることで身体鍛錬具の高さを確定する。【選択図】図１
0003228222.tif 000002
【実用新案登録請求の範囲】
【請求項１】
少なくとも懸垂や腹筋運動をして身体を鍛えるための身体鍛錬具であって、
一定間隔をもって床面に置かれ、鍛錬具前後に伸びる左右一対の土台（１）と、夫々高さが調整可能であって、夫々の基部が前記土台夫々の後半部分に結合して起立し、夫々その先端近傍で湾曲し鍛錬具前方に延びる湾曲延長部（３１）を有する左右一対の支柱（２、３）と、
前記一対の支柱の基部近傍と前記一対の土台を夫々つなぐ左右一対の支柱土台連結フレーム（１７）と、
前記一対の土台同士、又は前記一対の支柱の基部近傍同士を繋ぐ略水平な下方連結フレーム（４、５）と、
前記一対の支柱の各中段部分に各一端が固定され、各他端が前記器具前方に突出する左右一対の突出アームバー（１９）と、
当該一対のアームバーの夫々の先端部に取り付けられた左右一対のアームバーグリップ（２１）と、
前記一対の支柱の前記湾曲延長部の夫々に架け渡されたハンドルバー（１１）と、
前記ハンドルバーの左右両端に設けられた一対のハンドルバーグリップ（１６６）と、
その両端が、前記一対の支柱夫々の中段に取り付けられた棒状の中段横フレーム（６）と、
当該中段横フレーム（６）の幅方向略中央に取り付けられたウエストパッド（７）と、
前記ウエストパッドを、腰部を支持する前記中段横フレームの前面側から所定の退避位置へ移動させるパッド退避機構（６、６１〜６５）とを有する身体鍛錬具。
【請求項２】
請求項１の身体鍛錬具において、
前記退避位置は、前記中段横フレーム（６）の背面側であり、
前記パッド退避機構（６、６１から６５）は、前記ウエストパッド（７）を前記中段横フレームの前面側からその背面側へ移動させるパッド移動手段（６、６１）と、
前記移動手段の動作を禁止し及び禁止を解除するロック手段（６２、６４、６５）とからなり、
当該ロック手段は、前記パッド移動手段の動作を禁止して当該ウエストパッドを前記前面位置で固定させ、前記パッド移動手段の動作禁止を解除して、当該ウエストパッドを前記前面位置から前記退避位置へ移動させる身体鍛錬具。
【請求項３】
請求項２の身体鍛錬具において、前記パッド移動手段（６、６１）は、前記ウエストパッド（７）を前記中段横フレームの軸周りに回動させる手段である身体鍛錬具。
【請求項４】
請求項３の身体鍛錬具において、前記パッド移動手段（６、６１）は、
前記ウエストパッド（７）と一体の前記中段横フレーム（６）と、
夫々が前記一対の支柱の中段夫々に固定され、前記中段横フレームの両端を回転可能に支持する一対のホルダー（６１）とからなる身体鍛錬具。
【請求項５】
請求項４の身体鍛錬具において、前記中段横フレーム（６）は円形断面を有し、
前記一対のホルダー（６１）は、夫々対向する開口（６３）と円筒からなり、当該中段横フレームと同軸であり、当該夫々の開口を通じて夫々の円筒内に、前記中段横フレームの両端部を回転可能に収容するものである身体鍛錬具。
【請求項６】
請求項５の身体鍛錬具において、ロック手段（６２、６４、６５）は、
前記一対のホルダー（６１）夫々において、その直径方向に穿たれたホルダー上下壁貫通孔（６２）と、
前記中段横フレームの各端部であって前記ホルダー内に収容された部位でその直径方向に穿たれたフレーム貫通孔（６４）と、
これら貫通孔（６２、６４）を貫通するロックピン（６５）とからなる身体鍛錬具。
【請求項７】
請求項６の身体鍛錬具において、前記ロックピンは着脱自在であって、前記ウエストパッドが前記前面側にあるとき、前記各貫通孔に挿入され貫通し、当該ウエストパッドをその背面側へ移動させるとき、前記各貫通孔から引き抜かれ、前記中段横フレームを１８０度回転して天地逆転し、再び前記各貫通孔に挿入され貫通できるものである身体鍛錬具。
【考案の詳細な説明】
【技術分野】
【０００１】
本考案は、ぶら下がって懸垂や、つかまって腹筋運動をして身体を鍛えるための身体鍛錬具に関する考案である。
【背景技術】
【０００２】
近年、健康ブームであり、フィットネスジムに設置される器具には多機能で本格的な懸垂マシン等があり、一般家庭では、いわゆるぶら下がり健康器具が利用されている。最近は、益々健康ブームが進展しており、勤務形態の変化もあって、ジム通いより一般家庭又はオフィスで利用したい愛好者が増え、コンパクトな身体鍛錬具が市販されている。
【０００３】
しかしながら、コンパクト化に伴い様々な問題が生じている。例えば、大韓民国意匠商標（登録番号３０−０８９２０５５）や意匠登録第１６５５０６６号は、この様な身体鍛錬具を開示するが、前者は、身体鍛錬の際、腰部を支えるいわゆるウエストパッドは固定されており、身体鍛錬メニューによっては、その鍛錬を阻害する場合がある。又後者のウエストパッドは固定ではないが、単に、ユーザーの体格に応じて前後方向に移動可能としたもので、身体鍛錬メユー毎にウエストパッドを移動するものでない。
【０００４】
本考案は、かかる問題を解消し、簡易な構成で、身体鍛錬メユー毎にウエストパッドを適切な位置に配置可能にして、身体鍛錬を快適なものとすることをその目的とする。
【先行技術文献】
【非特許文献】
【０００５】
【非特許文献１】大韓民国意匠商標公報２０１７年１月３１日１７−０２号（登録番号３０−０８９２０５５）
【非特許文献２】意匠登録第１６５５０６６号公報
【考案の概要】
【考案が解決しようとする課題】
【０００６】
小型軽量化した身体鍛錬具を利用して懸垂運動等する際、ウエストパッドが、上下するユーザーの膝に接触し、その懸垂運動等を妨げる点である。
【課題を解決するための手段】
【０００７】
本考案は、第一鍛錬運動の際は、身体鍛錬具の中段横フレームの略中央に取り付けられたウエストパッドを、当該横フレームの前面側に位置させて腰部を固定させ、当該第一鍛錬運動と異なる第二鍛錬運動の際は、当該ウエストパッドを当該中段横フレームの背面側へ退避させるパッド退避機構を有することを主要な特徴とする。
【考案の効果】
【０００８】
本考案の身体鍛錬具は、懸垂運動等する際、上下する膝等がウエストパッドに略接触せず、スムーズな懸垂運動等を可能にするという利点を有する。
【図面の簡単な説明】
【０００９】
【図１】図１は、本考案にかる身体鍛錬具の全体を示す斜視図である。
【図２】図２は、身体鍛錬具の中段に取り付けられたウエストパッド及びその周辺を表す比較例に係る部分斜視図である。
【図３】図３は、本考案にかる身体鍛錬具の中段に取り付けられたウエストパッドが退避する様子を示す部分斜視図である。
【図４】図４は、本考案にかかる身体鍛錬具の中段に取り付けられたウエストパッドが退避し、快適な懸垂ができる状態を表す部分斜視図である。分解斜視図である。
【図５】図５は、本考案にかる身体鍛錬具の中段に取り付けられたウエストパッドを退避させる退避メカニズムの部品分解図である。
【図６】図６は、本考案にかかる身体鍛錬具の最上段に取り付けられる懸垂用ハンドルユニットの平面図である。
【図７】図７は、本考案にかかる身体鍛錬具の正面図と左側面図である。
【考案を実施するための形態】
【００１０】
ユーザーの膝等がウエストパッドに接触、衝突せず、スムーズな懸垂運動等を可能にするという目的を、簡易な構成により、中段フレームの前面側にあるウエストパッドを、中段フレームの背面側へ退避可能にして実現した。
【実施例】
【００１１】
（構造部材）
以下、身体鍛錬具の構造部材について説明する。
図1に示すように、本考案に係る身体鍛錬具は、水平方向の骨組みとして、同寸の棒状角型パイプで形成され、所定間隔で並べられた左右一対の土台1と、垂直方向の骨組みとして、夫々同寸の棒状角型パイプで形成され、各土台後半部１５から起立する左右一対の支柱下2と、各支柱下2の上端開口に挿入離脱自在に結合され、その延長線上に配置される同寸、同形状の棒状角型パイプで形成される左右一対の支柱上３を有する。
各支柱上３は折曲部３１を有し、器具前方、つまり、折曲部３１より先端３２に向かう延長部３３を有する。
【００１２】
より具体的には、当該各支柱上３は、その基端が、支柱下2の上端より僅かに小さいパイプ横断面を有し、該支柱下2のパイプ内に挿入され、所定深さで固定されることで身体鍛錬具の高さを確定する。
前記支柱上３の挿入深さは、ユーザーの身体に応じて変更可能であり、又両者の固定は、挿入部で両者を貫通するボルト８と樹脂製のナット９からなる締結具で行われる。即ち、金属製のナットではなく樹脂製とすることで、締め付け力を増大し、弾性によって、部材間のがたつきを抑制し、吸音することができ、身体鍛錬具に好適である。
尚、本実施例において、上下支柱合計の高さは、７段階に設定可能であり、図２等で示すように、上下支柱３,２が高さ方向で重なる部位において、各支柱に穿たれた支柱貫通孔８０に対し、ボルト８を貫通し、樹脂製のナット９で締め付けることで、両者を固定し、例えば、186cm、189.5cm、193cm、196.5cm、200cm、203.5cm及び207cmに設定できる。
尚、収納サイズは100cmであるが、その高さにおいては子供も利用できる。
（連結部材）
【００１３】
前記一対の土台1は、夫々に架け渡された一本の土台連結フレーム４の両端面に対し、その両外側面から、図示しないビスを夫々ねじ込むことで連結され、器具利用時において該土台連結フレーム４は、その開脚を防止し、身体鍛錬具を水平方向に補強する。
【００１４】
同様に、一対の支柱下２は、夫々に架け渡された一本の下段横フレーム５の両端面に対し、その各外側面から、図示しないビスをねじ込んで連結され、器具利用時において、該下段横フレーム５は、当該一対の支柱下２の拡開を防止し、身体鍛錬具を水平方向に補強する。
【００１５】
更に、前記一対の支柱下２と前記一対の土台１は、左右一対の土台支柱連結フレーム１７の夫々によって連結され、該支柱下２と該土台１の倒壊を防止し、該土台支柱連結フレーム１７は、身体鍛錬具をその前後方向に補強する。
具体的には、前記土台支柱連結フレーム１７の夫々の両端部に対し、前記支柱下２と土台１の夫々から、図示しないビスがねじ込まれ、固定され連結される。
当該左右一対の土台支柱連結フレーム１７は、角型パイプであって、ぶら下がりの際に受ける曲げに対して、自身が変形せず、夫々土台１と支柱２から受ける圧縮により座屈、ねじれ変形等しないよう、コーナーが湾曲する。
【００１６】
各土台１の両端は、床面に対し面接触する箱状の脚カバー１４が取り付けられている。当該脚カバー１４はプラスチックからなる。
以下、本考案に係る身体鍛錬具の諸機能を実現する機能部材について説明する。
（機能部材）
【００１７】
以下、本考案にかかる身体鍛錬具の諸鍛錬を実現する機能部材について説明する。
【００１８】
（第一機能部材）
第一機能部材は、腹筋運動等を可能とする部材である。
即ち、図１に示すように、一対の支柱下２の各上端２１近傍の前面側には、前腕の長さに相当する夫々一対の、同寸同形状で、角形パイプからなる突出アームバー１９が取り付けられている。
【００１９】
具体的には、各突出アームバー１９は、その基端が支柱下２の上端２１近傍に結合され、他端は自由端となる。該結合は、ボルト８を、当該支柱下２の外側から当該突出アームバー１９の基端部を貫通させ、樹脂製ナット９で締結して行われる。
【００２０】
更に、当該各突出アームバー１９は、支柱下２に一端が連結された筋かい２０が、その略中間部に連結されることで、下方から補強されている。
即ち、当該筋かい２０は、その両端が夫々突出アームバー１９と支柱下２に、図示しないビスなどの締結具で締結されている。
【００２１】
各突出アームバー１９上面には、同寸同形状のスポンジからなる弾性アームパッド２３が載置され、図示しないビス等の締結具で各突出アームバー１９に締結されている。
【００２２】
更に、各突出アームバー１９の先端近傍には、同寸、同形状の丸棒からなるL字グリップ２１が前向きに取り付けられ、溶接等で固定されている。当該アームパッド２３と縦向きＬ字グリップ２１は、例えば、腹筋運動の際に利用され、夫々前腕が載置され、手で把持される。
【００２３】
更に、一対の支柱下２の上端２１の近傍の後面において、夫々ホルダー開口部６３が対向する一対の円筒ホルダー６１が溶接接合され、各ホルダー開口部６３に、中実丸棒である中段横フレーム６の各端部が、例えば組立の際に嵌合し固定されている。
【００２４】
更に、該中段横フレーム６の略中央には、前記L字グリップ２１を握って腹筋運動等をする際に、後方へ移動する腰部を支持し保護する、例えばスポンジからなる弾性ウエストパッド７が配置されている。該ウエストパッド７は、中段横フレーム６に対しねじ込むことで締結され、固定されている。
【００２５】
即ち、当該ウエストパッド７は、例えば、ユーザーが正面を向いて、即ち器具に対し背中を向けて、Ｌ字グリップを握り腹筋運動等をする際は、そのパッド面が中段横フレーム６の前面側で固定されており、後方からユーザーの腰部を支持固定する。
（第二機能部材）
【００２６】
第二機能部材は、懸垂を実現する部材である。
即ち、図１及ぶ図６に示すように、前記一対の支柱上３の各折曲部分３１とその先端３２の間に延設された各延長部３３の間に、梯子型をした懸垂用ハンドルバーユニット１０が取り付けられている。
即ち、当該懸垂用ハンドルバーユニット１０は、少なくとも懸垂前には僅かな段差を有する前後平行棒１１及び１２と、当該前後平行棒１１及び１２に対し、例えば溶接等によって結合される左右一対の、互いに平行で所定間隔、例えば肩幅よりやや狭い間隔で配置された、棒状の一対の幅狭握り棒１３及び１４とからなる。
尚、幅狭握り棒１３及び１４は、左右対称であれば、部材の形状は問わず、配置は平行でなくてもよい
【００２７】
かかるハンドルバーユニット１０は、図６に示すように、その前後平行棒の各両端部にボルト孔１１０を有し、対向する前記各延長部３３の部位にも、図示しない支柱上ボルト孔が４個形成されている。当該ボルト孔１１０と支柱上ボルト孔に対し、ワッシャーを介して６角ボルト８を貫通させ、樹脂製ナット９とで締結して、当該ハンドルバーユニット１０を前記一対の延長部３３に固定することができる。
【００２８】
また、前記前平行棒１１の左右端部から下方に向けて折り曲げられ、同寸同形状の一対のハンドルグリップ１５が、略肩幅以上の間隔で略左右対称に延設されている。当該ハンドルグリップ１５には、交換や選択可能な弾性グリップが装着される。
【００２９】
かかるハンドルバーユニット１０によって、ユーザーは、幅広である一対のハンドルグリップ１５、例えば肩幅相当の前平行棒１１部分、及び例えば幅狭である一対の握り棒１３、１４を、選択的又は順次すべて、握りを変えつつ、確実かつ容易に使用し、懸垂することで、異なる背筋などを鍛錬でき、トレーニングの幅を広げることができる。
【００３０】
尚、懸垂用ハンドルバーユニット１０は、一対の支柱上下３、２の拡開を防止し、身体鍛錬具の強度を担保するので、構造部材としても機能する。
【００３１】
ここで、例えば、前記一対のハンドルグリップ１５を握ってぶら下がり、懸垂をする際は、通常、器具に正対し、即ち器具に対し腹部を向けてぶら下がり、肘を折って体を上昇させることになるが、図２で矢示する通り、ウエストパッド７が中段横フレーム６の前面側で固定されていると、矢印のように身体の上昇または下降の際、揺れる膝などがウエストパッド７に衝突し、該ウエストパッド７から、例えば矢示方向の反力を受け、上下運動つまり懸垂動作を阻害する。
【００３２】
そこで、図３に示す通り、本考案の一実施例においては、当該懸垂運動の際、前記ウエストパッド７を、中段横フレーム６の裏側に移動退避させ、図４に示すように、当該ウエストパッド７を当該中段横フレーム６の裏側で固定し、当該中段横フレーム６の前面側に、ウエストパッド厚のスペースを確保する構造になっている。その結果、図４に示す通り、揺れる膝と当該ウエストパッド７の衝突機会が減少し又は無くなり、上下運動たる懸垂動作がスムーズになる。
【００３３】
具体的には、図４に示す通り、中段横フレーム６は断面が円形の中実丸棒であり、その両端近傍において、その断面直径方向に穿たれた一対のフレーム貫通孔６４を有する。又、各円筒ホルダー６１は、当該フレーム貫通孔６４と略同径であって、当該フレーム貫通孔６４と対向する位置で、その断面直径方向に貫通する上下壁穴６２を有する。
そして、例えば、初期組立の際、中段横フレーム６は、両円筒ホルダー６１へ挿入され、そのフレーム貫通孔６４と該上下壁穴６２を対向させ、ロックピン６５をこれらフレーム貫通孔６４と該上下壁穴６２に挿入し貫通することで、該中段横フレーム６は、その軸周りに回転不能に固定されている。逆に、該ロックピン６５を引き抜けば、中段横フレーム６は、その軸周りに回転可能となる。つまり、中段横フレーム６は、その両端が左右一対の円筒ホルダー６１に挿入された状態で、図示する自身の軸周りに回動できる構造を有する。
【００３４】
よって、懸垂運動に先立ち、前記ウエストパッド７を、中段横フレーム６の裏側に移動退避させるため、ユーザーは、ロックピン６５を、当該フレーム貫通孔６４及び上下壁穴６２から取り外す。その後、ユーザーは、中段横フレーム６を一体のウエストパッド７と共に、その軸周りに１８０度回転させ、当該中段横フレーム６のフレーム貫通孔６４の反対開口部を、前記円筒ホルダー６１の上下壁穴６２に対向させ、再びロックピン６５をこれらフレーム貫通孔６４及び上下壁穴６２に挿入し、貫通して、当該中段横フレーム６の回動を阻止する。
その結果、当該中段横フレーム６と一体の当該ウエストパッド７も前期軸周りに１８０度回転し、当該中段横フレーム６の背後に固定される。
【００３５】
これによって、ウエストパッド７は、中段横フレーム６の前面側から背面側へ反転移動し、その前面側に一定空間が形成され、図４で矢示するように、膝は前記ウエストパッド７に衝突せず、又は衝突機会が減少し、懸垂運動を略阻害しなくなる。
（第三機能部材）
【００３６】
第三機能部材は、プッシュアップを実現する部材である。
即ち、図１に示すように、前記脚カバー１４の略上方であって、各土台１の前端には、丸棒状であって、プッシュアップ用の一対の横Ｌ字ハンドル１８が取り付けられている。
（レイアウト）
【００３７】
以下、本考案に係る身体鍛錬具のレイアウトについて説明する。
図１、図６及び図７に示す通り、一対の握り棒１３は、前平行棒１１の後方に配置される。その結果、土台の長大化を防止できている。つまり、仮に握り棒１３が前方に突出する場合、身体鍛錬中の器具の安定の為、土台を長大化する必要があるが、本考案では要さない。
又、梯子型のハンドルバーユニット全体が湾曲延長部内に収まっている。その結果、身体鍛錬具を強靭にしつつ小型化できている。
【００３８】
さらに、図３、図４及び図５に示す通り、本考案のウエストパッド退避機構は、中段横フレーム６にある。よって、大掛かりな退避機構を要さないから、土台の長大化、器具の大型化を防止できている。
【００３９】
更に、図７の正面図と側面図に示す通り、各横フレーム４、５及び土台支柱連結フレーム１７等の取り付け位置と部材間隔は、身体鍛錬具として安定するよう力学的計算によって定められている。よって、最少部材で必要な強度を担保できている。
（変形例１）
【００４０】
前記一対の土台１同士及び支柱２同士を繋ぐ各土台連結フレーム４及び下段横フレーム５は、鍛錬具の水平方向の強度が十分となるなら、何れか一でよい。
（変形例２）
【００４１】
前記ウエストパッド７を、退避位置、例えば前記中段横フレーム６の裏側に移動退避させるシステムとしては、上記に限るものでなく、例えば、中段横フレーム６を回転不能とし、代わって、ウエストパッド７単独を、当該中段横フレーム６を回転中心として回動させ、背面側に移動させる構造でもよい。
更に、中段横フレーム６を回転不能としつつ、ウエストパッド７を当該中段横フレーム６と脱着自在とし、該中段横フレーム６の前面側からウエストパッド７を取り外し、その背面側に取り付ける構造でもよい。
即ち、前記中段横フレーム６の裏側等に移動退避させるメカニズムなら、いかなるものでもよい。
又、背面側への回動は、ユーザーによるマニュアル操作でも、モータ等を使用したオートなものでもよい。更に、前記回転角は１８０度でなくても、約９０度でもよい。即ち、中段横フレーム６の前面側に一定空間が形成されるよう、ウエストパッド７が退避するなら、前記角度は問わない。
【産業上の利用可能性】
【００４２】
本考案は、家庭用やオフィス用に限らず、いわゆるフィットネスジムの懸垂マシンでも採用可能である。
【符号の説明】
【００４３】
１      土台
２、３  支柱（下上）
４、５  下方連結フレーム
６      中段横フレーム
７      ウエストパッド
１０    ハンドルバーユニット
１７    支柱土台連結フレーム
１９    突出アームバー  
２１    アームバーグリップ
３１    湾曲延長部
１６６  ハンドルバーグリップ
【図１】
0003228222.tif 000003
【図２】
0003228222.tif 000004
【図３】
0003228222.tif 000005
【図４】
0003228222.tif 000006
【図５】
0003228222.tif 000007
【図６】
0003228222.tif 000008
【図７】
0003228222.tif 000009